(57)【特許請求の範囲】
【請求項１】
観察者に装着される画像表示装置であって、
当該画像表示装置の装着部位に沿うフレームと、
前記フレームに取り付けられて画像を表示する表示部と、
前記フレームを前記装着部位に装着させる装着部材と、を備え、
前記装着部材は、
前記フレームにおいて前記装着部位側に位置する内面に取り付けられる装着部材本体と、
前記装着部材本体において前記装着部位側の面に取り付けられ、当該画像表示装置を前記装着部位に装着する際に前記装着部位に当接される当接部材と、
前記装着部材本体に取り付けられ、前記装着部材本体とともに前記装着部位の周囲を囲んで、前記フレームを前記装着部位に装着させる帯部材と、を備え、
前記当接部材は、前記装着部材本体よりも軟質な材料で形成され、
前記装着部材本体は、前記装着部位に沿って湾曲する前記内面の周方向に沿う方向の両端部に、前記帯部材を固定する固定部をそれぞれ備え、
前記フレームは、前記内面における前記固定部のそれぞれに応じた位置に、前記固定部を退避させる凹部を有することを特徴とする画像表示装置。
【請求項２】
請求項１に記載の画像表示装置において、
前記当接部材は、前記装着部位に当接して、前記装着部位の傾斜に沿う当接面を有することを特徴とする画像表示装置。
【請求項３】
請求項１又は請求項２に記載の画像表示装置において、
前記フレームは、前記装着部材本体を前記フレームに着脱自在に取り付ける取付部を有することを特徴とする画像表示装置。
【請求項４】
請求項３に記載の画像表示装置において、
前記取付部は、それぞれ前記装着部材本体と係合する複数の係合部を含み、
前記複数の係合部は、前記装着部位に沿って湾曲する前記内面の周方向においてそれぞれ異なる位置に配置されていることを特徴とする画像表示装置。
【請求項５】
請求項４に記載の画像表示装置において、
前記フレームは、
前記周方向の略中央に位置し、前記装着部材本体が取り付けられる中央部と、
前記中央部の両端から前記周方向に沿って互いに反対側に延出する一対の側部と、を有し、
前記固定部は、前記内面において前記側部に応じた領域における前記中央部側の位置に沿って配置されることを特徴とする画像表示装置。
【請求項６】
請求項５に記載の画像表示装置において、
前記複数の係合部は、前記中央部における前記周方向の両端側に配置されていることを特徴とする画像表示装置。
【請求項７】
請求項１から請求項６のいずれか１項に記載の画像表示装置において、
前記当接部材は、前記装着部材本体に着脱自在に取り付けられることを特徴とする画像表示装置。
【請求項８】
請求項１から請求項７のいずれか１項に記載の画像表示装置において、
前記フレームは、前記観察者の頭部に沿う円弧状の外形を有することを特徴とする画像表示装置。
【請求項９】
請求項１から請求項８のいずれか１項に記載の画像表示装置において、
前記装着部材本体は、前記装着部位に沿って湾曲する前記内面の周方向に沿うバンドであることを特徴とする画像表示装置。
【請求項１０】
請求項１から請求項９のいずれか１項に記載の画像表示装置において、
前記表示部として、前記画像を前記観察者の左眼及び右眼のそれぞれにて視認させる左眼用表示部及び右眼用表示部を備えることを特徴とする画像表示装置。
【請求項１１】
請求項１から請求項１０のいずれか１項に記載の画像表示装置において、
前記表示部は、前記画像を形成する光を前記観察者の眼に導光するとともに、外光を透過する導光部材を有することを特徴とする画像表示装置。
【発明の詳細な説明】
【技術分野】
【０００１】
本発明は、画像表示装置に関する。
【背景技術】
【０００２】
従来、観察者の頭部に装着されるＨＭＤ（Head Mounted Display）等の虚像表示装置が知られている（例えば、特許文献１参照）。
この特許文献１に記載の虚像表示装置は、観察者の左右にそれぞれ設けられる第１像形成本体部及び第２像形成本体部と、これら像形成本体部により形成される画像光を観察者の右眼及び左眼にそれぞれ導く導光部材とを備えるシースルー型のＨＭＤとして構成されている。更に、当該虚像表示装置は、観察者の鼻に当接される鼻当て部材を備える枠部と、枠部に設けられ、観察者のこめかみ付近に当接されるつる部分とを備える。そして、当該虚像表示装置は、それぞれのつる部分を左右のこめかみに応じた位置に配置させるとともに、鼻当て部材を鼻に当てることにより、各導光部材が観察者の眼前に配置されるように装着される。
【先行技術文献】
【特許文献】
【０００３】
【特許文献１】特開２０１４−１８６２０１号公報
【発明の概要】
【発明が解決しようとする課題】
【０００４】
ここで、頭部装着型の虚像表示装置の装着部位の形状は、当該虚像表示装置の利用者によって異なる。このため、上記特許文献１に記載の虚像表示装置を複数の利用者によって利用する場合、それぞれの利用者（観察者）は、虚像表示装置の装着時に頭部等の装着部位の形状に応じて、虚像表示装置を調整する必要がある。
【０００５】
本発明は、上記課題の少なくとも一部を解決することを目的としたものであり、複数の観察者のそれぞれが利用する際の装着を容易にできる画像表示装置を提供することを目的の１つとする。
【課題を解決するための手段】
【０００６】
本発明の一態様に係る画像表示装置は、観察者に装着される画像表示装置であって、当該画像表示装置の装着部位に沿うフレームと、前記フレームに取り付けられて画像を表示する表示部と、前記フレームを前記装着部位に装着させる装着部材と、を備え、前記装着部材は、前記フレームにおいて前記装着部位側に位置する内面に取り付けられる装着部材本体と、前記装着部材本体において前記装着部位側の面に取り付けられ、当該画像表示装置を前記装着部位に装着する際に前記装着部位に当接される当接部材と、前記装着部材本体に取り付けられ、前記装着部材本体とともに前記装着部位の周囲を囲んで、前記フレームを前記装着部位に装着させる帯部材と、を備え、前記当接部材は、前記装着部材本体よりも軟質な材料で形成され、前記装着部材本体は、前記装着部位に沿って湾曲する前記内面の周方向に沿う方向の両端部に、前記帯部材を固定する固定部をそれぞれ備え、前記フレームは、前記内面における前記固定部のそれぞれに応じた位置に、前記固定部を退避させる凹部を有することを特徴とする。
【０００７】
なお、上記装着部位としては、観察者の頭部における前額部、側頭部、後頭部、及び頭頂部を例示できる他、観察者がヘルメットや帽子等を装着している場合には、当該ヘルメットや帽子等において上記前額部、側頭部、後頭部、及び頭頂部に応じた位置を例示できる。すなわち、観察者の頭部（詳しくは、眉及び耳を通る頭部の外周線より上側の部位）に応じた位置に沿ってフレームが配置されればよく、頭部とフレームとの間にヘルメットや帽子等の構成が介在していてもよい。このように、フレームは、観察者の額部から上側の部位に固定される。この場合、画像表示装置は、頭部装着型表示装置ということができる。
上記一態様によれば、円弧状のフレームを上記装着部位に装着させる装着部材は、当該フレームに対して観察者側に位置する装着部材本体と、当該装着部材本体に対して観察者側に位置し、装着部位に当接される当接部材を有する。そして、当該当接部材は、装着部材本体よりも軟質な材料で形成されている。これによれば、画像表示装置を利用する観察者毎に装着部位の傾斜や凹凸の程度が異なる場合でも、当該画像表示装置の装着時に当接部材が変形することにより、観察者毎の装着部位の形状の違いを吸収できる。従って、複数の観察者のそれぞれにとって、画像表示装置を装着しやすくすることができる他、適切な位置に画像表示装置を装着させることができる。
【０００８】
また、前記装着部材は、前記装着部材本体に取り付けられ、前記装着部材本体とともに前記装着部位の周囲を囲んで、前記フレームを前記装着部位に装着させる帯部材を備え、前記装着部材本体は、前記装着部位に沿って湾曲する前記内面の周方向に沿う方向の両端部に、前記帯部材を固定する固定部をそれぞれ備え、前記フレームは、前記内面における前記固定部のそれぞれに応じた位置に、前記固定部を退避させる凹部を有する。
このような構成によれば、フレームと装着部位との間に配置された上記固定部が、当該装着部位に接触及び押圧することを抑制できる。
【０００９】
上記一態様では、前記当接部材は、前記装着部位に当接して、前記装着部位の傾斜に沿う当接面を有することが好ましい。
なお、装着部位の傾斜の方向としては、観察者にとっての上下方向を例示できる。
ここで、画像表示装置が観察者の頭部に応じた位置に装着される場合には、上述のように、観察者の前額部、側頭部、後頭部、及び頭頂部に画像表示装置が装着されることとなるため、上記装着部位は、観察者にとっての上下方向（例えば鉛直方向）に対して傾斜していることとなる。
これに対し、上記した構成によれば、当接部材が、上記当接面を有することにより、傾斜した装着部位に対しても、フレーム、ひいては、画像表示装置を確実かつ簡易に装着させることができる。
【００１０】
上記一態様では、前記フレームは、前記装着部材本体を前記フレームに着脱自在に取り付ける取付部を有することが好ましい。
このような構成によれば、フレームに対して、装着部材本体、ひいては、装着部材を着脱できる。これによれば、複数の観察者が１台の画像表示装置を使用する際に、観察者毎に装着部材を交換することにより、複数の観察者のそれぞれに対して清浄な装着部材を提供できる。また、このような装着部材をそれぞれの観察者の装着部位毎に用意することにより、それぞれの観察者に適した位置に画像表示装置を容易に装着させることができる。従って、画像表示装置の装着感を向上できる。
【００１１】
上記一態様では、前記取付部は、それぞれ前記装着部材本体と係合する複数の係合部を含み、前記複数の係合部は、前記装着部位に沿って湾曲する前記内面の周方向においてそれぞれ異なる位置に配置されていることが好ましい。
このような構成によれば、上記内面の周方向における複数の箇所にて装着部材本体を固定できるので、フレームに対する装着部材本体の位置ずれを抑制でき、装着部位に対するフレームの位置ずれを抑制できる。
【００１２】
上記一態様では、前記フレームは、前記周方向の略中央に位置し、前記装着部材本体が取り付けられる中央部と、前記中央部の両端から前記周方向に沿って互いに反対側に延出する一対の側部と、を有し、前記固定部は、前記内面において前記側部に応じた領域における前記中央部側の位置に沿って配置されることが好ましい。
このような構成によれば、装着部材本体は、フレームの中央部に取り付けられ、周方向における両端に設けられた固定部を有する。これら固定部は、それぞれ、フレームの内面において、側部に応じた領域における中央部側の位置に沿って配置されている。そして、これら固定部に固定された帯部材が、装着部位の周囲を囲むように配置される。この際、上記した構成では、側部に対応する内面における中央部側の位置に固定部を配置することにより、帯部材を中央部側の位置で固定できる。従って、装着部位に対して、中央部により近い位置から帯部材を当接させることができ、装着部位に対してフレームをより安定的に装着させることができる。
【００１３】
上記一態様では、前記複数の係合部は、前記中央部における前記周方向の両端側に配置されていることが好ましい。
このような構成によれば、フレームの中央部の両端側に係合部を配置することにより、側部に対応する内面のうちの中央部側の内面に沿う位置に、固定部をより確実に配置できる。従って、固定部の位置ずれを抑制でき、装着部位に対してフレームをより一層安定的に装着させることができる。
【００１４】
上記一態様では、前記当接部材は、前記装着部材本体に着脱自在に取り付けられることが好ましい。
このような構成によれば、装着部位に適した形状の当接部材を装着部材本体に取り付けることができるので、装着部材、ひいては、画像表示装置の装着感を一層向上させることができる。
また、画像表示装置を利用する観察者毎に清浄な当接部材を用いることによって、装着部材ごと交換しなくても、清浄な状態で画像表示装置を利用できる。
【００１５】
ここで、観察者が視力矯正用の眼鏡を使用している場合には、当該眼鏡を使用しない場合に比べて、表示部と観察者の眼との間隔を広げる必要がある。
これに対し、装着部材本体に対して接離する方向における寸法（厚み寸法）が異なる当接部材を用いることにより、装着部位とフレームとの距離を変更できる。このため、観察者が視力矯正用の眼鏡を使用している場合でも、上記寸法が大きな当接部材を用いることにより、表示部と観察者の眼との間隔を容易に広げることができる。従って、画像表示装置の利便性をより一層向上させることができる。
【００１６】
上記一態様では、前記フレームは、前記観察者の頭部に沿う円弧状の外形を有することが好ましい。
このような構成によれば、本体部を頭部に沿う円弧状とすることにより、装着感を向上させることができる他、画像表示装置の装着時の外観を良好なものとすることができる。
【００１７】
上記一態様では、前記装着部材本体は、前記装着部位に沿って湾曲する前記内面の周方向に沿うバンドであることが好ましい。
このような構成によれば、装着部材本体が、内面の周方向に沿うバンドであるため、簡単な構成にてフレームを装着部位に沿って配置でき、フレームを装着部位により密着させることができる。また、外観を良好にできる。
【００１８】
上記一態様では、前記表示部として、前記画像を前記観察者の左眼及び右眼のそれぞれにて視認させる左眼用表示部及び右眼用表示部を備えることが好ましい。
このような構成によれば、左眼用表示部及び右眼用表示部により、観察者の左眼及び右眼にて、それぞれ同じ画像を視認させることができるだけでなく、それぞれ異なる画像を視認させることができる。従って、画像表示装置の利便性及び汎用性を向上させることができる。
【００１９】
上記一態様では、前記表示部は、前記画像を形成する光を前記観察者の眼に導光するとともに、外光を透過する導光部材を有することが好ましい。
このような構成によれば、導光部材を介して、上記画像と観察者の周囲とを観察できる。このため、画像を視認中の観察者に安心感を付与できる他、周囲の風景に重ね合わせた画像を視認させることにより、拡張現実を実現できる。従って、画像表示装置の利便性及び汎用性を一層向上させることができる。
【００２０】
本発明の関連技術に係る装着部材は、観察者の装着部位に沿うフレームと、前記フレームに取り付けられて画像を表示する表示部とを備える画像表示装置の前記フレームを、前記装着部位に装着させる装着部材であって、前記フレームにおいて前記装着部位側に位置する内面に取り付けられる装着部材本体と、前記装着部材本体において前記装着部位側の面に取り付けられ、前記画像表示装置を前記装着部位に装着する際に前記装着部位に当接される当接部材と、を備え、前記当接部材は、前記装着部材本体よりも軟質な材料で形成されていることを特徴とする。
【図面の簡単な説明】
【００２１】
【図１】本発明の一実施形態に係る虚像表示装置を示す斜視図。
【図２】上記実施形態における虚像表示装置を示す斜視図。
【図３】上記実施形態における虚像表示装置を示す斜視図。
【図４】上記実施形態における虚像表示装置を示す上面図。
【図５】上記実施形態におけるヘッドバンド部を示す下面図。
【図６】上記実施形態におけるアーム部及び表示部を示す斜視図。
【図７】上記実施形態におけるフレームを示す斜視図。
【図８】上記実施形態におけるバンドを示す斜視図。
【図９】上記実施形態における虚像表示装置にバンドを装着する様子を示す斜視図。
【図１０】上記実施形態における当接部材を示す斜視図。
【図１１】上記実施形態におけるバンドに当接部材を装着する様子を示す斜視図。
【図１２】上記実施形態における虚像表示装置を示す側面図。
【発明を実施するための形態】
【００２２】
以下、本発明の一実施形態を、図面に基づいて説明する。
［虚像表示装置の概略構成］
図１は、本実施形態に係る虚像表示装置１が観察者に装着された状態を示す斜視図である。
本実施形態に係る虚像表示装置１は、本発明の画像表示装置に相当する。この虚像表示装置１は、図１に示すように、観察者ＵＳの頭部やヘルメット等の装着部位（詳しくは、前額部及び側頭部に応じた位置）に装着されて使用されるヘッドマウントディスプレイ（ＨＭＤ：Head Mounted Display）である。この虚像表示装置１は、観察者ＵＳによって視認可能に虚像を表示するとともに、外光を透過させて外界を観察可能とするシースルー型のＨＭＤである。
【００２３】
図２及び図３は、虚像表示装置１を正面側及び背面側から見た斜視図である。換言すると、図２は、虚像表示装置１を観察者側とは反対側から見た斜視図であり、図３は、観察者側から見た斜視図である。
この虚像表示装置１は、図１〜図３に示すように、観察者ＵＳの頭部又は頭部に装着されたヘルメット等に装着されるヘッドバンド部２と、虚像を表示する表示部３と、ヘッドバンド部２に回動可能に取り付けられて、これらヘッドバンド部２及び表示部３を接続する一対のアーム部４とを備える。
【００２４】
なお、以下の説明において、Ｚ方向は、虚像表示装置１を装着した観察者ＵＳが正面を向いた場合の視方向であり、Ｘ方向及びＹ方向は、当該Ｚ方向に直交し、かつ、互いに直交する方向である。これらのうち、Ｘ方向は、虚像表示装置１を装着した観察者ＵＳから見て左から右に向かう方向であり、Ｙ方向は、当該観察者ＵＳから見て下から上に向う方向である。更に、Ｚ方向側とは、Ｚ方向における下流側（Ｚ方向先端側）を指し、Ｚ方向とは反対側とは、Ｚ方向における上流側（Ｚ方向基端側）を指す。他の方向も同様である。
また、本実施形態では、ヘッドバンド部２は、観察者ＵＳの頭部に装着されるものとして説明する。すなわち、虚像表示装置１の装着部位は、本実施形態では観察者ＵＳの頭部であり、詳しくは、前額部及び側頭部を含む頭部の上部分である。
【００２５】
［ヘッドバンド部の構成］
図４は、虚像表示装置１をＹ方向とは反対側から見た図である。また、図５は、ヘッドバンド部２をＹ方向側から見た図である。
ヘッドバンド部２は、観察者ＵＳの頭部に沿う円弧状の外形を有し、図４及び図５に示すように、上記装着部位に沿う円弧状に形成され、当該装着部位に沿って配置されるフレーム２１と、撮像部２２と、制御部２３と、フレーム２１を上記装着部位に装着させる装着部材５とを有する。なお、装着部位は、観察者ＵＳの頭部（詳しくは、眉及び耳を通る頭部の外周線より上側の部位）に応じた位置であり、頭部とヘッドバンド部２との間にヘルメット等が介在していてもよい。
これらのうち装着部材５は、フレーム２１に取り付けられる装着部材本体としてのバンド５１と、装着部位に当接される当接部材５２と、バンド５１に固定される帯部材５３とを有する。この装着部材５の詳しい構成については、後に詳述する。
【００２６】
フレーム２１は、図４及び図５に示すように、虚像表示装置１の装着部位に含まれる観察者ＵＳ（図４における点線で輪郭を示す観察者ＵＳ）の前額部及び側頭部に沿って配置され、後述するように装着部材５によって当該装着部位に固定される。このフレーム２１は、上記制御部２３（図２参照）や当該制御部２３に接続されるケーブル等を内部に収納し、かつ、撮像部２２やアーム部４を支持する筐体である。
このフレーム２１は、観察者ＵＳの前額部及び側頭部の形状に沿う略半円形状（略Ｕ字状）の外形を有する。すなわち、フレーム２１において、観察者ＵＳの前額部から側頭部に対向する内面２１１は、Ｙ方向側から見て、観察者ＵＳの頭部に沿って湾曲している。
このようなフレーム２１の円弧状の両端近傍には、図５に示すように、それぞれのアーム部４の一端が回動軸部２４（図３参照）によって回動可能に軸支されている。なお、フレーム２１の詳しい構成については、後に詳述する。
【００２７】
撮像部２２は、図２に示すように、フレーム２１において上記内面２１１とは反対側に位置する外面２１５のＸ方向における略中央に配置されており、観察者ＵＳの前方、すなわち、当該観察者ＵＳの視野における一部の領域を撮像する。この撮像部２２は、フレーム２１に対して回動可能に取り付けられ、撮像方向を変更可能に構成されている。
制御部２３は、図２に示すように、撮像部２２を制御するとともに、当該撮像部２２による撮像画像を、ケーブルを介して外部に出力する。
なお、ヘッドバンド部２は、図示を省略するが、虚像表示装置１に対する観察者による各種入力操作を受け付けるコントローラーが接続されており、当該コントローラーから制御部２３に、操作情報及び画像情報が送信される。
【００２８】
［表示部の構成］
表示部３は、制御部２３から入力される画像情報に応じた画像を形成して、当該画像を虚像として観察者に視認させる。この表示部３は、図２及び図３に示すように、観察者の右眼と左眼のそれぞれに対して配置される一対の光学装置３１（左眼用及び右眼用光学装置を、それぞれ３１Ｌ，３１Ｒとする）と、一対の光学装置３１を保持する略Ｕ字状のフレーム部３２とを備える。一対の光学装置３１のうちの左眼用光学装置３１Ｌは、本発明の左眼用表示部に相当し、右眼用光学装置３１Ｒは、本発明の右眼用表示部に相当する。なお、左眼用光学装置３１Ｌと、右眼用光学装置３１Ｒとは、互いに鏡面対称の関係を有する。
【００２９】
図６は、カバー部材３１１の一部を除き、光学装置３１の内部を示す図である。
一対の光学装置３１のそれぞれは、カバー部材３１１と、光学ユニット３１２（図６参照）と、導光部材３１３（図３参照）とを有する。
カバー部材３１１は、光学ユニット３１２を内部に収納する筐体である。
光学ユニット３１２は、カバー部材３１１の内部に配置されており、光源装置から入射された光を、光変調装置によって、入力される画像情報に応じた画像光に変調し、対応する導光部材３１３に当該画像光を出射する。なお、光変調装置としては、例えば、液晶パネルやＭＥＭＳ（Micro Electro Mechanical System）ミラー等のマイクロミラーを用いたデバイスを採用できる。
【００３０】
導光部材３１３（右眼用及び左眼用の導光部材を、それぞれ３１３Ｒ，３１３Ｌとする）は、観察者ＵＳの眼に応じた位置に配置される。この導光部材３１３は、内部に半透過層（半反射層）が形成されており、当該半透過層を介して外界を観察可能に構成されている他、上記光学ユニット３１２から出射されて当該半透過層にて反射された画像光が眼に入射されることにより虚像が視認される。このような導光部材３１３は、可視光領域で高い光透過性を示す樹脂（例えばシクロオレフィンポリマー）により主に形成される。
フレーム部３２は、Ｙ方向側にて一対の光学装置３１を保持する。このフレーム部３２のＸ方向とは反対側には、左眼用光学装置３１Ｌが固定され、Ｘ方向側には、右眼用光学装置３１Ｒが固定される。
【００３１】
［アーム部の構成］
一対のアーム部４は、図２及び図３に示したように、ヘッドバンド部２のフレーム２１と、表示部３の各カバー部材３１１とを接続するとともに、当該フレーム２１に対して回動可能に軸支されている。これらアーム部４は、それぞれ、第１端部４１及び第２端部４２を有する。
第１端部４１は、アーム部４においてＺ方向とは反対側の端部であり、フレーム２１内にて回動軸部２４によって軸支されている。このため、アーム部４は、当該第１端部４１の軸支位置を通り、かつ、Ｘ方向に平行な回動軸を中心とする所定範囲で回動可能である。
第２端部４２は、アーム部４においてＺ方向側の端部であり、表示部３に接続されている。
【００３２】
なお、虚像表示装置１は、図示を省略するが、表示部３とアーム部４とを相対的に移動させて、表示部３とヘッドバンド部２に対して、表示部３を接離させる移動機構を備えている。この移動機構は、例えば、表示部３に設けられたガイドレールと、アーム部４に設けられ当該ガイドレールに係合するスライド部材とを備える。ガイドレールに沿ってスライド部材を摺動させて、アーム部４に対して表示部３を移動させることにより、ヘッドバンド部２と表示部３との距離を調整できる。
【００３３】
［フレームの構成］
図７は、フレーム２１を背面側から見た斜視図である。
フレーム２１は、上記のように、装着部材５によって上記装着部位に沿って配置及び固定される。このフレーム２１において、Ｓ方向の中央部分を中央部２１Ａと称し、中央部２１ＡのＳ方向の両端に位置する部分を側部２１Ｂと称する。
中央部２１Ａは、図４及び図５に示すように、Ｓ方向に沿って湾曲し、観察者ＵＳの前額部に沿って配置される。
側部２１Ｂは、図４及び図５に示すように、中央部２１ＡのＳ方向の両端からＺ方向に沿って延出し、観察者ＵＳの側頭部に沿って配置される。
【００３４】
ここで、フレーム２１は、図７に示すように、中央部２１Ａにおける、Ｙ方向側から見て円弧状に形成された上記内面２１１に沿って装着部材５が取り付けられる１つの第１取付部２１２と、２つの第２取付部２１３と、内面２１１に形成された凹部２１４とを有する。
これらのうち、１つの第１取付部２１２と、２つの第２取付部２１３とは、本発明の係合部に相当し、内面２１１の周方向（内面２１１の円弧の湾曲方向）であるＳ方向における３箇所にて、装着部材５のバンド５１に係合し、当該バンド５１を内面２１１に対して固定する。なお、これら第１取付部２１２と第２取付部２１３とを含み、本発明の取付部が構成される。
【００３５】
第１取付部２１２は、図４、図５及び図７に示すように、中央部２１Ａの上記Ｓ方向における中央位置、すなわち、内面２１１のＺ方向の最も先端側の位置に設けられ、Ｓ方向におけるバンド５１の中央部分を、内面２１１に固定する。この第１取付部２１２は、凹部２１２Ａと、突部２１２Ｂと、鉤状部２１２Ｃとを有する。
凹部２１２Ａは、図５及び図７に示すように、フレーム２１の下面２１６（Ｙ方向とは反対側の面２１６）に形成される。
突部２１２Ｂは、図５及び図７に示すように、凹部２１２ＡのＹ方向に交差する底面からＹ方向とは反対方向に突出する。
鉤状部２１２Ｃは、図４及び図７に示すように、内面２１１のＹ方向側の端部からＺ方向とは反対方向に突出した後、Ｙ方向とは反対方向に折曲する。
【００３６】
第２取付部２１３は、中央部２１ＡのＳ方向における中央部分を挟む両端部の２箇所にそれぞれ設けられ、当該２箇所で装着部材５のバンド５１を内面２１１に固定する。これら第２取付部２１３は、中央部２１Ａにおける側部２１Ｂに近い位置の内面２１１に設けられ、Ｚ方向側から見た場合に観察者ＵＳの側頭部よりも前額部の中央部分に近く、かつ、側頭部に略重なる位置に設けられる。これにより、後述する装着部材５のバンド５１の端部（環状部５１１）を側部２１Ｂにおける内面２１１に沿って配置させることができ、ヘッドバンド部２の位置ずれを抑制できる。
【００３７】
凹部２１４は、図５及び図７に示すように、側部２１ＢのＺ方向側に形成され、バンド５１のＳ方向における端部に設けられた環状部５１１（図８参照）を、内面２１１に向かって退避させる隙間を形成するための湾曲部である。これら凹部２１４は、上記Ｓ方向において、バンド５１の端部の近傍の２箇所にて、内面２１１の一部が外面２１５に向かう方向に湾曲されて形成される。
【００３８】
［装着部材の構成］
装着部材５は、上記のように、フレーム２１を装着部位に装着させるものである。この装着部材５は、図４及び図５に示すように、フレーム２１に設けられた各取付部２１２，２１３によって内面２１１に取り付けられるバンド５１と、当接部材５２と、帯部材５３とを有する。
これらのうち、当接部材５２と帯部材５３とは、装着部位に直に当接する部材であり、バンド５１に取り付けられる。この装着部材５は、バンド５１に取り付けられた当接部材５２及び帯部材５３を、観察者ＵＳの頭部の周囲の略全周に当接させることにより、観察者ＵＳの頭部に装着される。
【００３９】
［バンドの構成］
図８は、バンド５１を背面側から見た斜視図である。また、図９は、虚像表示装置１を観察者側から見た斜視図であり、フレーム２１にバンド５１を取り付ける様子を示す。
バンド５１は、当接部材５２及び帯部材５３を保持し、かつ、フレーム２１の内面２１１に取り付けられる帯状の部材である。このバンド５１は、図８に示すように、環状部５１１と、突出部５１２と、凹部５１３と、保持部５１４とを有する。
【００４０】
環状部５１１は、本発明の固定部に相当し、上記Ｓ方向におけるバンド５１の両端に設けられ、帯部材５３が取り付けられる。
この環状部５１１は、バンド５１がフレーム２１に装着された際に、図３〜図５に示すように、フレーム２１のＺ方向とは反対側の端部よりも、Ｚ方向側に位置し、フレーム２１の内面２１１に沿って配置される。より具体的には、環状部５１１は、図５に示すように、内面２１１において側部２１Ｂに応じた領域におけるＺ方向側の位置、すなわち、中央部２１Ａ側の位置に配置される。これによれば、帯部材５３を中央部２１Ａに近い位置（例えば、観察者ＵＳのこめかみよりＺ方向側の位置）で固定できる。
【００４１】
突出部５１２は、Ｓ方向におけるバンド５１の中央部分において、Ｙ方向とは反対側の端部からＺ方向に突出する板状の部材である。この突出部５１２は、Ｙ方向に貫通する２つの孔部５１２Ａを有する。この突出部５１２は、図９に示すように、バンド５１を各取付部２１２，２１３に係合させて、フレーム２１に取り付ける際に、フレーム２１の下面２１６に形成された凹部２１２Ａに挿入される。この際、上記２つの孔部５１２Ａには、フレーム２１側に設けられた突部２１２Ｂが挿入される。
【００４２】
２つの凹部５１３は、Ｓ方向におけるバンド５１の中央部分のＹ方向側の端部に、Ｙ方向とは反対側に没入して形成されている。これら凹部５１３は、図９に示すように、バンド５１をフレーム２１に取り付ける際に、フレーム２１側に設けられた鉤状部２１２Ｃが配置される。
保持部５１４は、Ｓ方向におけるバンド５１の中央部分において、Ｚ方向とは反対側に向かって突出するように２つ設けられる。これら保持部５１４は、当接部材５２に形成された後述する第１凹部５２２に挿入され、当接部材５２を保持する。
【００４３】
［当接部材の構成］
図１０は、当接部材５２をＺ方向とは反対側から見た図である。また、図１１は、虚像表示装置１を観察者側から見た斜視図であり、バンド５１に当接部材５２を取り付ける様子を示す。
当接部材５２は、図１１に示すように、バンド５１におけるフレーム２１側とは反対側の面に着脱自在に取り付けられ、装着部位（詳しくは観察者ＵＳの前額部）に直に当接される。この当接部材５２は、バンド５１よりも軟質な材料（例えばシリコーンゴム）で形成され、装着部位の傾斜や凹凸に応じて変形可能に構成される。
このような当接部材５２は、図１０に示すように、本体部５２１と、第１凹部５２２と、第２凹部５２３と、第３凹部５２４と、延出部５２５と、当接面５２６とを有する。
【００４４】
本体部５２１は、装着部位に当接される当接面５２６を有し、Ｓ方向に直交する面における断面が略台形状の部材である（図１２参照）。この本体部５２１は、観察者ＵＳに直に当接される部分であり、弾性変形することにより装着部位の凹凸や傾斜を吸収する。この本体部５２１には、第１凹部５２２と、第２凹部５２３と、第３凹部５２４と、延出部５２５とが形成されている。
【００４５】
第１凹部５２２は、図１０に示すように、当接部材５２をバンド５１に取り付けるための凹部であり、Ｓ方向における中央部分において、本体部５２１のＺ方向側の面に設けられた２つの凹部である。これら第１凹部５２２は、図１１に示すように、バンド５１に設けられた２つの保持部５１４がそれぞれ挿入されるものであり、Ｚ方向側から見て、これら保持部５１４とそれぞれ重なる位置に形成されている。
【００４６】
第２凹部５２３は、フレーム２１の内面２１１からＺ方向とは反対側に向かって突出する鉤状部２１２Ｃが挿入される凹部である。これら２つの第２凹部５２３は、図１１に示すように、２つの鉤状部２１２Ｃのそれぞれに重なる位置に形成されている。
第３凹部５２４は、フレーム２１の内面２１１からＺ方向に突出する突起２１７が挿入される凹部である。この第３凹部５２４は、図１１に示す突起２１７に重なる位置に形成されている。
【００４７】
延出部５２５は、本体部５２１から延出するように２つ設けられている。これら２つの延出部５２５は、本体部５２１におけるＳ方向の両端から、それぞれ離間する方向にＳ方向に沿って延出している。延出部５２５は、当接部材５２がバンド５１に取り付けられた際に、Ｚ方向とは反対側からバンド５１の少なくとも一部を覆う。これら延出部５２５は、図１０に示すように、溝部５２５Ａと、押さえ部５２５Ｂとを有する。
溝部５２５Ａは、の延出部５２５のＺ方向側の面（バンド５１側の面）において、バンド５１を配置可能に形成された溝である。
押さえ部５２５Ｂは、溝部５２５ＡのＺ方向側の開口部分に設けられ、溝部５２５Ａの内部に配置されたバンド５１をＺ方向とは反対方向に向かって押さえることにより、溝部５２５Ａの内部に配置させる。
【００４８】
ここで、当接部材５２がＺ方向とは反対側からバンド５１に取り付けられる際には、図１１に示すように、保持部５１４は、第１凹部５２２に挿入される。また、フレーム２１に設けられた鉤状部２１２Ｃは第２凹部５２３に、突起２１７は第３凹部５２４にそれぞれ挿入される。このようにして、バンド５１に対して当接部材５２が取り付けられる。このようにして、バンド５１に取り付けられた当接部材５２は、フレーム２１の内面２１１に設けられた突起や、バンド５１の一部を覆っている。これにより、上記突起やバンド５１が直に観察者ＵＳに接触することを回避している。
なお、フレーム２１に装着部材５を取り付ける際に、上述のように、バンド５１をフレーム２１に取り付けた後に、当接部材５２を取り付けてもよいし、バンド５１に当接部材５２を取り付けた後に、バンド５１すなわち装着部材５をフレーム２１に取り付けてもよい。
【００４９】
図１２は、虚像表示装置１をＸ方向から見た図であり、当該虚像表示装置１の装着時に、当接面５２６が観察者ＵＳの前額部に当接する状態を模式的に示している。
当接面５２６は、装着部位の少なくとも一部（本実施形態では、観察者ＵＳの前額部）に直に当接する面であり、装着部位の傾斜に沿ってＹ方向（上下方向）に傾斜している。具体的に、当接面５２６は、Ｙ方向側に向かうに従ってＺ方向とは反対側に突出するように傾斜している。これにより、ヘッドバンド部２を所望の角度範囲（例えば、フレーム２１の上面とＺＸ平面との角度の好適範囲）となるように、虚像表示装置１を観察者ＵＳに装着させることができる。
【００５０】
また、当接部材５２は、上述のように、装着部位の傾斜や凹凸に応じて変形可能である。すなわち、図１２に示すように、当接部材５２が弾性変形することにより、当接面５２６を観察者ＵＳの前額部の湾曲に応じて変形させ、当該前額部に密着させることができる。これにより、虚像表示装置１を観察者ＵＳに対してより安定的に装着させることができる。また、これにより、当接部材５２が観察者ＵＳの額に直に当接する場合でも、装着感を向上させることができる。
【００５１】
なお、上述の当接部材５２の厚み寸法（例えば、Ｚ方向に沿う寸法の平均値）を変更することにより、Ｚ方向における観察者ＵＳと、フレーム２１及び表示部３との距離を変更できる。例えば、上記厚み寸法が比較的大きい当接部材５２を用いることにより、観察者ＵＳの眼と表示部３との間の寸法を大きくでき、視力矯正用の眼鏡を使用している観察者ＵＳが、当該眼鏡を使用したまま、虚像表示装置１を装着できる。
【００５２】
［帯部材の構成］
帯部材５３は、図４及び図５に示すように、バンド５１の両端の環状部５１１に取り付けられ、バンド５１とともに環状の装着部材５を構成する（図２参照）。帯部材５３は、例えば、ゴムバンド等の伸縮性を有する帯状の部材や、長さを調整可能な機構を有する帯状の部材により構成できる。この帯部材５３は、観察者ＵＳの後頭部や側頭部に当接し、バンド５１及び当接部材５２側に向かって観察者ＵＳを押圧することにより、装着部材５ひいてはヘッドバンド部２が、観察者ＵＳの頭部に固定される。
【００５３】
［実施形態の効果］
以上説明した本実施形態に係る虚像表示装置１によれば、以下の効果がある。
フレーム２１を上記装着部位に装着させる装着部材５は、当該フレーム２１に対して観察者側に位置するバンド５１と、当該バンド５１に対して観察者側に位置し、装着部位に当接される当接部材５２を有する。そして、当接部材５２は、バンド５１よりも軟質な材料で形成されている。これによれば、虚像表示装置１を利用する観察者毎に装着部位の傾斜や凹凸の程度が異なる場合でも、当該虚像表示装置１の装着時に当接部材５２が変形することにより、観察者毎の装着部位の形状の違いを吸収できる。従って、複数の観察者のそれぞれにとって、虚像表示装置１を装着しやすくすることができる他、適切な位置に虚像表示装置１を装着させることができる。
【００５４】
当接部材５２は、装着部位の傾斜に沿う当接面５２６を有し、装着部位に当接している。
ここで、虚像表示装置１を観察者ＵＳの前額部や側頭部に装着する場合、観察者ＵＳにとっての上下方向（例えば鉛直方向）に対して傾斜している装着部位に装着することとなる。本実施形態では、当接部材５２が、装着部位の傾斜に応じた当接面５２６を有することにより、傾斜した装着部位に対しても、フレーム２１、ひいては、虚像表示装置１を確実かつ簡易に装着させることができる。
【００５５】
また、この当接部材５２をバンド５１に対して着脱自在とすることにより、装着対象となる装着部位の形状により適した当接部材５２を選択し、取り付けることができる。従って、傾斜した装着部位に対しても、虚像表示装置１をより確実かつ簡易に装着させることができる。
ここで、観察者ＵＳが視力矯正用の眼鏡を使用している場合には、当該眼鏡を使用しない場合に比べて、表示部３と観察者ＵＳの眼との間隔を広げる必要がある。
これに対し、バンドに対して接離する方向における寸法（厚み寸法）が異なる当接部材を用いることにより、装着部位とフレームとの距離を変更できる。このため、観察者が視力矯正用の眼鏡を使用している場合でも、上記寸法が大きな当接部材を用いることにより、表示部３と観察者ＵＳの眼との間隔を容易に広げることができる。従って、虚像表示装置１の利便性を向上させることができる。
【００５６】
フレーム２１は、第１取付部２１２及び第２取付部２１３を備え、フレーム２１に対してバンド５１、ひいては、装着部材５を着脱できる。これによれば、複数の観察者が１台の虚像表示装置１を使用する際に、観察者毎に装着部材５を交換することにより、複数の観察者のそれぞれに対して清浄な装着部材５を提供できる。また、このような装着部材５をそれぞれの観察者の装着部位毎に用意することにより、それぞれの観察者に適した位置に虚像表示装置１を容易に装着させることができる。従って、虚像表示装置１の装着感を向上できる。
【００５７】
バンド５１は、Ｓ方向における複数箇所（本実施形態では３箇所）にてフレーム２１に対して固定される。これによれば、フレーム２１に対するバンド５１の位置ずれを抑制でき、装着部位に対するフレームの位置ずれを抑制できる。
【００５８】
バンド５１は、フレーム２１の中央部２１Ａに取り付けられ、Ｓ方向の両端に環状部５１１が設けられている。これら環状部５１１に固定された帯部材５３が、装着部位の周囲を囲むように配置される。本実施形態では、これら環状部５１１は、それぞれ、側部２１Ｂに対応する内面２１１のうち中央部２１Ａ側の領域に沿って配置されている。このため、帯部材５３を中央部２１Ａに近い位置で固定でき、装着部位に対して、中央部２１Ａに近い位置から帯部材５３を当接させることができる。従って、装着部位に対する帯部材５３による当接領域を大きくすることができ、虚像表示装置１をより安定的に装着させることができる。
【００５９】
第２取付部２１３が、フレーム２１の中央部２１Ａの両端に配置され、当該両端でバンド５１に係合している。これにより、側部２１Ｂに対応する内面２１１のうちの中央部２１Ａ側の領域に沿う位置に、環状部５１１をより確実に配置できる。従って、環状部５１１の位置ずれを抑制でき、装着部位に対してフレーム２１をより一層安定的に装着させることができる。
【００６０】
ヘッドバンド部２のフレーム２１は、観察者ＵＳの頭部に沿う円弧状の外形を有する。これによれば、当該ヘッドバンド部２をより確実に頭部に沿うように配置できるため、装着感を向上させることができる他、虚像表示装置１の装着時の外観を良好なものとすることができる。
バンド５１が、内面２１１のＳ方向に沿うバンド形状であるため、簡単な構成にてフレーム２１を装着部位に沿って配置でき、フレーム２１を装着部位により密着させることができる他、外観を良好にできる。
【００６１】
フレーム２１は、バンド５１の端部に設けられ固定部としての環状部５１１を退避させる凹部２１４を有する。これによれば、フレーム２１と装着部位との間に配置された環状部５１１が、装着部位に接触し、押圧することを回避できる。
表示部３は、左眼用光学装置３１Ｌ及び右眼用光学装置３１Ｒにより、観察者ＵＳの左目及び右目にてそれぞれ同じ虚像を視認させることができるだけでなく、それぞれ異なる虚像を視認させることができる。従って、虚像表示装置１の利便性及び汎用性を向上させることができる。
【００６２】
虚像表示装置１は、虚像を形成する光を観察者ＵＳの眼に導光するとともに、外光を透過する導光部材３１３を有する、シースルー型の構成を採用している。これにより、導光部材３１３を介して、上記虚像と観察者の周囲とを観察できる。このため、虚像を視認中の観察者ＵＳに安心感を付与できる他、周囲の風景に重ね合わせた虚像を視認させることにより、拡張現実を実現できる。従って、虚像表示装置１の利便性及び汎用性を一層向上させることができる。
【００６３】
［実施形態の変形］
本発明は、上記実施形態に限定されるものではなく、本発明の目的を達成できる範囲での変形、改良等は本発明に含まれるものである。
上記実施形態では、当接部材５２が、装着部位の傾斜に沿う当接面５２６を有していた。しかしながら、本発明はこれに限らない。例えば、当接部材５２が、装着部位の傾斜に応じて大きく変形可能な場合は、当接面５２６が装着部位の傾斜に応じて傾斜していなくてもよい。なお、当接面５２６を装着部位の傾斜に応じて傾斜させておくことにより、当接部材５２の変形量を小さくしても、虚像表示装置１を適切な姿勢で装着でき、かつ、当接部材５２の変形による位置ずれを抑制できる。
上記実施形態では、当接部材５２をバンド５１に対して着脱自在に取り付けられる構成としていた。しかしながら、本発明はこれに限らない。当接部材５２は、バンド５１に対して固定されていてもよい。
【００６４】
上記実施形態では、装着部材５は、第１取付部２１２及び第２取付部２１３によって、３箇所でフレーム２１に着脱自在に取り付けられる構成としていた。しかしながら、本発明はこれに限らない。例えば、装着部材５は、第１取付部２１２による中央部の１箇所で固定されてもよいし、２つの第２取付部２１３による中央部を挟む２箇所で固定されてもよい。また、フレーム２１に４つ以上の係合部を設け、バンド５１がフレーム２１に対して４箇所以上で固定される構成としてもよい。当接部材５２がバンド５１に対して着脱自在である場合には、当該バンド５１は、フレーム２１に固定されていてもよい。
【００６５】
上記実施形態では、２つの第２取付部２１３による固定位置は、中央部２１Ａの両端側に配置されていた。しかしながら、本発明はこれに限らない。例えば、上記固定位は、Ｓ方向における中央部２１Ａの中央位置近傍の内面２１１でもよいし、側部２１Ｂの内面２１１でもよい。
また、上記実施形態では、装着部材５は、フレーム２１に着脱自在に取り付けられる構成としていた。しかしながら、本発明はこれに限らない。装着部材５は、フレーム２１に対して固定されていてもよい。
【００６６】
上記実施形態では、バンド５１は、固定部としての環状部５１１を、Ｓ方向の端部に有し、当該環状部５１１に帯部材５３が取り付けられていた。しかしながら、本発明はこれに限らない。例えば、固定部として、帯部材を挟持する挟持機構等により、バンド５１の端部に帯部材を固定する構成を採用してもよい。
【００６７】
上記実施形態では、固定部としての環状部５１１は、側部２１ＢのＺ方向側に対応する内面２１１に沿って配置されていた。しかしながら、本発明はこれに限らない。例えば、環状部５１１は、側部２１ＢのＺ方向とは反対側に沿った位置等、内面２１１に沿った任意の位置に配置されてもよい。この場合、帯部材５３に対してバンド５１の長さをより長くすることができるので、装着部材５の捻じれをより確実に抑制できる。
なお、上記実施形態のように、環状部５１１を側部２１ＢのＺ方向側に配置することにより、観察者ＵＳに対して環状部５１１が接触することを抑制できる。また、バンド５１を短くして、環状部５１１を中央部２１Ａに対応する内面２１１に沿って配置する場合と比べて、バンド５１を長くすることができるので、上記捻じれを抑制できる。
【００６８】
上記実施形態では、フレーム２１は、バンド５１の端部に設けられた環状部５１１（固定部）を退避させる凹部２１４を有していた。しかしながら、本発明はこれに限らない。例えば、凹部２１４をフレーム２１に形成しなくてもよい。この場合、フレーム２１の内面２１１と観察者ＵＳとの間に、環状部５１１を退避させるのに十分な空間を形成するように、フレーム２１の曲率を設定してもよい。
【００６９】
上記実施形態では、フレーム２１は、略半円形状（略Ｕ字状）に形成されていた。しかしながら、本発明はこれに限らない。すなわち、ヘッドバンド部２は、観察者の頭部（頭部の中心軸を中心とするＳ方向に沿い、かつ、両眼を通る線より上の部位）に沿って配置可能に構成されていればよく、例えば、少なくとも一部に頭部に沿った円弧状の内面を有する構成でもよい。また、例えば、前額部に相当する部分と側頭部に対応する部位とが互いに略直交する構成でもよい。このように、ヘッドバンド部２（フレーム２１）は、装着部材５によって頭部に沿って装着可能であれば、その外形は特に制限されない。
【００７０】
上記実施形態では、装着部材５は、帯状のバンド５１と、当接部材５２と、帯部材５３とを備えていた。しかしながら、本発明はこれに限らない。すなわち、装着部材５は、フレーム２１に取り付けられる装着部材本体と、当該装着部材本体に取り付けられ、観察者に直に当接する当接部材と、を少なくとも備え、当接部材を介して装着部材を装着部位に対して装着させることにより、フレーム２１を装着部位に沿って配置可能に構成されていればよい。このような構成であれば、装着部材本体の外形や、当接部材による当接位置の数や形状は特に制限されない。また、装着部材本体と当接部材とによって、装着部位にフレームを装着可能な場合、帯部材を備えなくてもよい。
例えば、装着部材本体の構成として、装着部位を覆って装着されるヘッドキャップ型や、装着部位に沿う複数のバンドが頭頂部において交差する交差バンド型（バンドが２本の場合は十字バンド型）の構成を採用してもよい。この場合、装着部材本体が、装着部位に対して安定的に装着されるように、装着部位の前額部、側頭部、後頭部、及び頭頂部に対応する位置に、適宜、当接部材を配置すればよい。
また、装着部位の周囲を囲み配置されるベルト型の構成を採用してもよく、この場合も装着部位の前額部、側頭部、及び後頭部に対応する位置に、適宜、当接部材を配置すればよい。
また、装着部材本体は、観察者の前後方向や左右方向の両側から挟むように装着部位に当接される２以上の当接部材を、それぞれ支持する構成であってもよい。
【００７１】
上記実施形態では、一対のアーム部４を備え、これら一対のアーム部４が表示部３をＸ方向の両側から支持する構成を例示した。しかしながら、本発明は、これに限らない。例えば、１つのアーム部４を備える構成としてもよい。この際、アーム部４は、表示部３のＸ方向における略中央と接続されていてもよく、Ｘ方向における一端側に接続されていてもよい。このような構成では、虚像表示装置１を構成する部品点数を減らすことができ、軽量化を図ることができる。なお、表示部３を一対のアーム部４で両側から支持する構成では、１箇所で支持するよりも、表示部３を安定的に支持することができる。
【００７２】
上記実施形態では、表示部３は、左眼用光学装置３１Ｌと、右眼用光学装置３１Ｒとを備える構成を例示した。しかしながら、本発明はこれに限らない。すなわち、左眼用光学装置３１Ｌ及び右眼用光学装置３１Ｒうちの一方を備える構成を採用してもよい。この場合、表示部３を１つのアーム部４のみで支持する構成、例えば、左眼用光学装置３１Ｌを左側のアーム部４のみで支持する構成としてもよく、１対のアーム部４で支持する構成としてもよい。
【００７３】
上記実施形態では、ヘッドバンド部２との接続部位を中心としてアーム部４を回動可能とし、表示部３の位置を調整可能とする構成を例示した。しかしながら、本発明はこれに限らない。例えば、アーム部４が可動部を備え、表示部３の位置を調整可能な構成を採用してもよい。また、アーム部４が、ヘッドバンド部２に対して固定されて回動可能とされず、かつ、可動部も備えない構成、すなわち、ヘッドバンド部２に対して表示部３の所定の位置や角度に設定された構成としてもよい。
【００７４】
上記実施形態では、導光部材３１３Ｌ，３１３Ｒは、それぞれ固定されていた。しかしながら、本発明はこれに限らない。例えば、Ｘ方向に沿う回動軸を中心として、導光部材３１３Ｌ，３１３Ｒをそれぞれ独立して、或いは、連動して、観察者ＵＳとは反対側に回動可能に構成してもよい。この場合、当該回動軸を、導光部材３１３におけるＹ方向側又はＹ方向とは反対側に位置するように構成することにより、導光部材３１３を回動させて、観察者ＵＳの視方向から退避させることができる。
【００７５】
上記実施形態では、撮像部２２は、Ｘ方向に平行な回動軸を中心に回動され、一方向において撮像方向を調整可能に構成されていた。しかしながら、本発明はこれに限らない。すなわち、他の方向にも撮像方向を調整可能に構成してもよいし、撮像方向が固定されていてもよい。また、撮像部２２を設けなくてもよい。
上記実施形態では、制御部２３が、ヘッドバンド部２に設けられる構成を例示した。しかしながら、本発明はこれに限らない。例えば、制御部２３は、表示部３やアーム部４に設けられていてもよい。
【００７６】
上記実施形態では、観察者による各種入力操作を受け付けるコントローラーが接続され、当該コントローラーからの入力に応じて、制御部２３により虚像表示装置１が制御されていた。しかしながら、本発明はこれに限らない。
例えば、コントローラーが接続される構成において、虚像表示装置１（画像表示装置）とコントローラーとのうちの一方が、観察者の操作に応じた操作情報を取得する機能と、画像情報を取得して当該画像情報に応じて表示部３を駆動させる機能と、電力を供給する機能の少なくともいずれかを有し、他方が、残りの機能を有するように構成してもよい。
また、虚像表示装置１（画像表示装置）が、コントローラーを介して画像供給装置（ＰＣ等）に接続されてもよく、コントローラーを介さずに当該画像供給装置に直接接続されてもよい。このような構成において、虚像表示装置１は、画像供給装置における画像表示部分として用いられ、虚像表示装置１の各種動作は、画像供給装置によって制御される構成としてもよい。なお、この場合、画像供給装置が、虚像表示装置１を駆動させる電力を供給してもよい。
また、虚像表示装置１（例えば、ヘッドバンド部２や表示部３）にバッテリーや、画像処理装置等の制御装置が配置されてもよく、更に、メモリーカード等のスロットが設けられていてもよい。更に、虚像表示装置１に、観察者の操作を受け付ける操作部を設けてもよく、タップ操作を検出可能な構成を設けてもよい。すなわち、コントローラーは無くてもよい。
【００７７】
上記実施形態では、虚像表示装置として、シースルー型の虚像表示装置１を例示した。しかしながら、本発明はこれに限らない。すなわち、外界を観察できない非透過型の虚像表示装置や、外界を撮像する撮像素子による撮像画像を表示するビデオシースルー型の虚像表示装置に対しても、本発明を適用できる。
【００７８】
上記実施形態では、画像表示装置として、観察者ＵＳに虚像として視認される画像を表示する虚像表示装置１を例示した。しかしながら、本発明はこれに限らず、観察者に対して画像を視認させる装置であれ本発明を適用可能である。例えば、観察者の両眼に応じた位置に、液晶パネルや有機ＥＬ（Electro-Luminescence）パネル等の表示手段を備える構成を採用してもよい。
また、レーザー網膜投影型のＨＭＤに対して本発明を適用することも可能である。例えば、表示部が、レーザー光源と、レーザー光源を使用者の眼に導く光学系とを備え、レーザー光を使用者の眼に入射させて網膜上を走査し、網膜に結像させることにより、使用者に画像を視認させるＨＭＤに、本発明を適用してもよい。
【符号の説明】
【００７９】
１…虚像表示装置（画像表示装置）、３…表示部、５…装着部材、２１…フレーム、２１Ａ…中央部、２１Ｂ…側部、３１Ｌ…左眼用光学装置（左眼用表示部）、３１Ｒ…右眼用光学装置（右眼用表示部）、５１…バンド（装着部材本体）、５２…当接部材、５３…帯部材、２１１…内面、２１２…第１取付部（係合部）、２１３…第２取付部（係合部）、２１４…凹部、３１３…導光部材、５１１…環状部（固定部）、５２６…当接面、ＵＳ…観察者。
【図１】
0006421558.tif 000002
【図２】
0006421558.tif 000003
【図３】
0006421558.tif 000004
【図４】
0006421558.tif 000005
【図５】
0006421558.tif 000006
【図６】
0006421558.tif 000007
【図７】
0006421558.tif 000008
【図８】
0006421558.tif 000009
【図９】
0006421558.tif 000010
【図１０】
0006421558.tif 000011
【図１１】
0006421558.tif 000012
【図１２】
0006421558.tif 000013